(57)【要約】【課題】  光学式ピックアップよりディスクに対して信号の記録再生動作を行う光ディスク記録再生装置のレーザー駆動信号制御方法を提供する。【解決手段】  ディスク４から反射されるレーザー光を電気信号に変換する光検出器３より得られるＲＦ信号が入力されるとともに該信号を増幅するＲＦ信号増幅回路５と、記録動作時ＲＦ信号増幅回路５より出力されるＲＦ信号の中の消去期間のＲＦ信号をサンプリングするべく設けられている消去期間サンプリング回路７より得られるＲＦ信号のレベルを検出する信号レベル検出回路８と、レーザーダイオード１に供給される記録用パルス信号の消去レベル値、ピークレベル値、ボトムレベル値及び再生用レベル値を設定する制御回路とより成り、消去レベル信号を出力する回路に対してサーボ動作を行うとともに消去レベルの変化に応じて再生レベル値の補正動作を行う。【選択図】    図１
2005050453.tif 000002
【特許請求の範囲】
【請求項１】
光学式ピックアップに組み込まれているレーザーダイオードを消去レベル値、ピークレベル値及びボトムレベル値より成る記録用パルス信号にて点灯駆動することによってディスクに信号を記録し、前記レーザーダイオードを再生レベル値の駆動信号にて点灯駆動することによってディスクに記録されている信号を再生するように構成されているとともにディスク上の同一位置における記録中断再開動作を記録中断前にディスクに記録された信号を再生することにより行うように構成された光ディスク記録再生装置において、前記光学式ピックアップに組み込まれているとともにディスクから反射されるレーザー光を電気信号に変換する光検出器と、該光検出器より得られるＲＦ信号が入力されるとともに該信号を増幅するＲＦ信号増幅回路と、記録動作時前記ＲＦ信号増幅回路より出力されるＲＦ信号の中の消去期間のＲＦ信号をサンプリングする消去期間サンプリング回路と、該サンプリング回路より得られるＲＦ信号のレベルを検出する信号レベル検出回路と、レーザーダイオードに供給される記録用パルス信号の消去レベル値、ピークレベル値、ボトムレベル値及び再生用レベル値を設定する制御回路とより成り、信号レベル検出回路にて検出される信号レベルを一定にするべく消去レベル信号を出力する回路に対してサーボ動作を行うとともに消去レベルの変化に応じて再生レベル値の補正動作を行うようにしたことを特徴とする光ディスク記録再生装置のレーザー駆動信号制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置としては、ディスクへの上書きによる書き換えが可能なオーバーライトと呼ばれる方式が一般的であり、ＣＤ方式の記録ディスクを使用するＣＤ−ＲＷ型の記録再生装置が広く普及している。斯かるオーバーライト方式の光ディスク記録再生装置では、光学式ピックアップに組み込まれているレーザーダイオードを図２示す消去レベル値Ｅ、ピークレベル値Ｐ及びボトムレベル値Ｂより成るマルチパルスと呼ばれるパルス信号にて点灯駆動して信号をディスクに記録するように構成されている。
【０００４】
斯かるマルチパルス波形のパルス信号にてレーザーダイオードを点灯駆動させることによってディスクに信号を記録する光ディスク記録再生装置では、消去レベル値Ｅ、ピークレベル値Ｐ及びボトムレベル値Ｂを正確に制御してディスクに高品質な記録動作を行う技術が開発されている(例えば、特許文献１参照。)。
【０００５】
そして、斯かる光ディスク記録再生装置において、ディスクに記録されている信号の再生動作は、図３に示すような信号、即ち再生レベル値ＶＰの駆動信号をレーザーダイオードに供給することによって行うように構成されている。
【０００６】
また、光ディスク記録再生装置は、コンピューター装置と接続して使用され、コンピューター装置から出力されるデータ信号をディスクに記録するように構成されている。そして、斯かる記録動作を行う場合にコンピューター装置から出力される記録信号であるデータ信号は、光ディスク記録再生装置に組み込まれているバッファＲＡＭと呼ばれるメモリー回路に一旦記憶され、その記憶されたデータ信号を読み出すことによってディスクに記録されるように構成されている。
【０００７】
斯かる光ディスク記録再生装置において、ディスクへの信号の記録速度に対してコンピューター装置からのデータ信号の出力速度が遅くなると、前記バッファＲＡＭに記憶されているデータ信号の量が不足する状態、即ちバッファアンダーランと呼ばれる状況になる。斯かるバッファアンダーランの状況になると記録動作を続けることが出来ないので記録エラーが発生することになる。斯かるバッファアンダーランが発生する状況になると記録動作を一旦中断させ、データ信号の量が増加した場合に記録動作を再開させることによってバッファアンダーランによるエラーを防止する技術が開発されている(例えば、特許文献２参照。)。
【特許文献１】特開２００１−３４９８７号公報
【特許文献２】特開２０００−４０３０２号公報
【発明の開示】
【発明が解決しようとする課題】
【０００８】
マルチパルス波形のパルス信号にてレーザーダイオードを駆動することによってディスクへの信号の記録動作を行う光ディスク記録再生装置においては、ボトムレベル値Ｂからピークレベル値Ｐまでの値ＢＰとボトムレベル値Ｂから消去レベル値Ｅまでの値ＢＥとの比率(ＢＥ／ＢＰ)であるε値の調整が必要であり、このε値はディスク固有であるとともに記録速度に応じて決定される。
【０００９】
ＣＤ−ＲＷ装置の場合、ε値は通常ディスクのレーザー出力を調整する前に決定されるが、この値はディスクに記録されているディスク特性を表すデータ情報を抽出することによって設定される。
【００１０】
ディスクへの信号の記録動作を正確に行うためには、レーザーダイオードより照射されるレーザー光の出力を制御する必要があり、従来では、レーザーダイオードより照射されるレーザー光のレベルをモニターするモニター用ダイオードを設け、そのモニターダイオードより得られるモニター信号を利用してレーザー光の出力を調整するように構成されている。
【００１１】
斯かる構成によれば、レーザー光の出力制御動作を正確に行うことが出来るものの光学式ピックアップにモニター用ダイオードを設ける必要があるため、光学式ピックアップの価格が高価になるという問題がある。
【００１２】
そして、特許文献２に記載の技術によれば、バッファアンダーランによるエラーを防止することが出来るが、斯かる機能を備えた光ディスク記録再生装置では、記録動作を中断させた後、記録を中断させた位置より記録動作を再開させる必要がある。斯かる記録再開動作は、記録中断前にディスクに記録された信号の再生動作を行い、その再生された信号と同期合わせ処理を行うことによって行うように構成されている。従って、記録動作状態より再生状態に切換た後記録動作状態に切り換えるという動作を短時間の間に行う必要がある。そして、この場合には再生動作を正確に行う必要があるので、信号の再生動作を行うためにレーザーダイオードに供給される駆動信号の再生用レベルを正確に設定する必要がある。
【００１３】
本発明は、斯かる再生用レベルを正確に設定することが出来るレーザー駆動信号の制御方法を提供しようとするものである。
【課題を解決するための手段】
【００１４】
本発明は、光学式ピックアップに組み込まれているとともにディスクから反射されるレーザー光を電気信号に変換する光検出器と、該光検出器より得られるＲＦ信号が入力されるとともに該信号を増幅するＲＦ信号増幅回路と、記録動作時前記ＲＦ信号増幅回路より出力されるＲＦ信号の中の消去期間のＲＦ信号をサンプリングする消去期間サンプリング回路と、該サンプリング回路より得られるＲＦ信号のレベルを検出する信号レベル検出回路と、レーザーダイオードに供給される記録用パルス信号の消去レベル値、ピークレベル値、ボトムレベル値及び再生用レベル値を設定する制御回路とより成り、信号レベル検出回路にて検出される信号レベルを一定にするべく消去レベル信号を出力する回路に対してサーボ動作を行うとともに消去レベルの変化に応じて再生レベル値の補正動作を行うように構成されている。
【発明の効果】
【００１５】
本発明のレーザー駆動信号制御方法によれば光学式ピックアップにレーザーダイオードの発光出力をモニターするモニター用ダイオードが不要になるため、光学式ピックアップ
の価格を低下させることが出来る。
【００１６】
また、本発明は、記録動作を行っている状態において消去レベルの制御動作を行い、その消去レベルの変化を利用して再生用レベルの補正動作を行うようにしたので、記録動作の中断再開動作をディスク上の同一位置から行う場合に記録中断前に記録された信号の再生動作を行うレーザー出力を最適なレベルに設定することが出来る。
【発明を実施するための最良の形態】
【００１７】
本発明は、レーザーダイオードより照射されるレーザー光の出力レベルをモニターするモニター用ダイオードを備えていない光学式ピックアップのレーザー出力を制御するためにディスクより反射される信号であるＲＦ信号の中の消去期間のレベルを利用するようにしたものである。
【実施例１】
【００１８】
図１は本発明に係る光ディスク記録再生装置の一実施例を示す回路図、図２及び図３は本発明の動作を説明するための波形図である。
【００１９】
図１において、１は光学式ピックアップに組み込まれているとともにレーザー光を照射するレーザーダイオードであり、レーザー駆動回路２から供給される電流によって駆動されるように接続されている。３は前記レーザーダイオード１より照射され、ディスク４から反射されたレーザー光を受光する光検出器であり、レーザー光を電気信号に変換する作用を有する。
【００２０】
５は前記光検出器３にて電気信号に変換されたＲＦ信号(高周波信号)が入力されるとともに該信号を増幅するＲＦ信号増幅回路である。図２は、レーザーダイオード１に信号の記録動作時供給される記録用パルスの波形を示すものであり、ピークレベル値Ｐとボトムレベル値との間で変化するパルス信号が供給されている期間Ｒがディスク４に信号を記録している記録期間を示し、消去レベル値Ｅの信号が供給されている期間Ｓが消去期間を示す。即ち、期間Ｒでディスク４への信号の記録動作が行われ、期間Ｓでは信号の消去動作が行われることになる。
【００２１】
６は後述するレーザー駆動信号のレベル設定等の制御動作を行う制御回路、７は前記制御回路６によって動作が制御される消去期間サンプリング回路であり、前記ＲＦ信号増幅回路５より出力されるＲＦ信号が入力されるとともに消去期間である期間Ｓの間に得られるＲＦ信号をサンプリング抽出して出力するように構成されている。８は前記消去期間サンプリング回路７によってサンプリングされた信号が入力されるとともにその信号のレベルを検出する信号レベル検出回路であり、前記制御回路６に検出信号を出力するように構成されている。
【００２２】
９は前記制御回路６によって動作が制御されるピークレベル信号出力回路であり、ディスクに信号を記録するピークレベル値Ｐの信号をレーザー駆動回路２より出力させる信号を出力するように設定されている。１０は前記制御回路６によって動作が制御されるボトムレベル信号出力回路であり、ボトムレベル値Ｂの信号をレーザー駆動回路２より出力させる信号を出力するように設定されている。１１は前記制御回路６によって動作が制御される消去レベル信号出力回路であり、消去レベル値Ｅの信号をレーザー駆動回路２より出力させる信号を出力するように設定されている。
【００２３】
１２は前記信号レベル検出回路８より得られる信号のレベル、即ち消去期間に得られるＲＦ信号のレベルを一定にするべく前記消去レベル信号出力回路１１に対するサーボ動作を行うサーボ回路である。１３は前記制御回路６によって動作が制御される再生レベル信
号出力回路であり、ディスクに記録されている信号を再生する再生レベル値Ｐの信号をレーザー駆動回路２より出力させる信号を出力するように設定されている。
【００２４】
１４は前記ピークレベル信号出力回路９、ボトムレベル信号出力回路１０、消去レベル信号出力回路１１及び再生レベル信号出力回路１３の出力信号が入力される加算回路であり、前記制御回路６による制御動作によって入力される信号の選択加算動作を行い、その選択加算された信号を前記レーザー駆動回路２に供給するように構成されている。
【００２５】
斯かる構成において、レーザーダイオード１より照射されるレーザー光はディスク４から反射されて光検出器３によって受光され、その出力に応じたＲＦ信号が出力される状態にある。そして、消去期間サンプリング回路７によって消去期間のＲＦ信号がサンプリングされるので、消去期間のＲＦ信号のレベルがモニターされた状態にある。そして、前記消去期間サンプリング回路７によってサンプリングされて得られるＲＦ信号であるモニター信号は、信号レベル検出回路８に入力されてそのレベルを検出された後制御回路６に入力される。斯かるモニター信号が入力されると、前記制御回路６は、サーボ回路１２によるサーボ動作によって前記消去レベル信号出力回路１１より出力される信号のレベル、即ち消去レベル値Ｅを一定のレベルに維持するべく制御するように構成されている。
【００２６】
以上に説明したように本発明に係る光ディスク記録再生装置は構成されているが、次に動作について説明する。ディスク４に設けられているプリグルーブより得られるＡＴＩＰ信号に基づいてディスクの特性を表すデータ情報を抽出し、その抽出されたデータ情報から消去レベル値Ｂ、ピークレベル値Ｐ、ボトムレベル値Ｂ及び再生レベル値ＶＰを選択設定する。
【００２７】
斯かる設定動作が行われると、制御回路６の制御動作によってピークレベル信号出力回路９、ボトムレベル信号出力回路１０及び消去レベル信号出力回路１１から夫々ピークレベル値Ｐ、ボトムレベル値Ｂ及び消去レベル値Ｅの信号をレーザー駆動回路２から出力させるための制御動作が行われる。
【００２８】
そして、入力される記録信号に応じて加算回路１３の選択加算制御動作を制御回路６が行い、その選択加算制御された信号がレーザー駆動回路２に供給される。その結果、レーザー駆動回路２から図２に示す波形、即ちピークレベル値Ｐとボトムレベル値Ｂより成るパルス波形の駆動信号が記録期間である期間Ｒにレーザーダイオード１に供給され、消去レベル値Ｂの駆動信号が消去期間である期間Ｓにレーザーダイオード１に供給される。そして、斯かるパルス波形のレーザー駆動信号が出力される期間Ｒ及び期間Ｓは、記録信号の長さに応じて変化せしめられることになる。
【００２９】
前述したように記録動作状態におけるレーザー駆動信号の生成動作は行われるが、記録動作中消去レベル値Ｅの値は、光検出器３による反射信号の検出動作、ＲＦ信号増幅回路５による増幅動作、消去期間サンプリング回路７によるサンプリング動作、信号レベル検出回路８による消去期間信号の検出動作及びサーボ回路１２によるサーボ動作によって消去期間ＳのＲＦ信号のレベルが一定になるように制御される。従って、記録動作状態にあるときに温度変化等によってレーザーダイオード１から照射されるレーザー光のレベルが変化しても所望のレーザー出力が得られるように消去レベル値Ｅを制御するための動作が行われることになる。
【００３０】
前述したように消去レベル値Ｅの制御動作は行われるが、該消去レベル値Ｅを基準としてその消去レベル値Ｅの変化に応じてピークレベル値Ｐ及びボトムレベル値Ｂの値を制御する動作が行われることになる。そして、斯かるピークレベル値Ｐ及びボトムレベル値Ｂの調整動作は、ディスク４の特性によって設定されているε値に基づいて行われる。従っ
て、ＲＦ信号のレベルを一定にするべく消去レベル値Ｅが変化せしめられると、その変化に応じてピークレベル値Ｐ及びボトムレベル値Ｂが変更されるので、その状態に適した記録動作を行うことが出来る。
【００３１】
前述したように記録動作状態におけるレーザー駆動信号の制御動作は行われるが、バッファアンダーランエラーを防止するために記録中断再開動作のための制御動作を行う場合には、前述した記録状態より再生状態への切り換え動作が行われる。斯かる再生状態への切換動作が行われると、制御回路６の加算回路１４に対する制御動作によって再生レベル信号出力回路１３より出力される信号に基く駆動信号がレーザー駆動回路２からレーザーダイオード１に供給される状態に切り換えられる。
【００３２】
そして、斯かる場合レーザーダイオード１に供給される駆動信号のレベルを再生動作のための信号レベル、即ち再生レベル値ＶＰになるように設定されるが、本発明では、それまで行われていた記録動作状態における消去レベル値Ｅの変化に応じて前記再生レベル値ＶＰを補正する動作が行われる。斯かる補正動作を行う結果、レーザーダイオード１の発光特性に応じた再生用のレーザー出力を得ることが出来るので、再生動作を正確に行うことが出来る。
【図面の簡単な説明】
【００３３】
【図１】本発明に係る光ディスク記録再生装置の一実施例を示す回路図である。
【図２】本発明に係るレーザーダイオードを駆動する信号の波形図である。
【図３】本発明に係るレーザーダイオードを駆動する信号の波形図である。
【符号の説明】
【００３４】
１        レーザーダイオード
２        レーザー駆動回路
３        光検出器
５        ＲＦ信号増幅回路
６        制御回路
７        消去期間サンプリング回路
８        信号レベル検出回路
９        ピークレベル信号出力回路
１０        ボトムレベル信号出力回路
１１        消去レベル信号出力回路
１２        サーボ回路
１３        再生レベル信号出力回路
【図１】
2005050453.tif 000003
【図２】
2005050453.tif 000004
【図３】
2005050453.tif 000005